(57)【特許請求の範囲】
【請求項１】
半導体レーザに駆動電流を供給してレーザビームを出射させるレーザドライバと、
半導体レーザから出射されたレーザビームを情報記録媒体上に集光させ、該情報記録媒体から反射された光を受光する光ヘッドと、
該レーザドライバの駆動電流に重畳する高周波電流を生成する高周波電流生成回路と、
該レーザドライバへの該高周波電流の供給を制御するための重畳制御信号を生成する制御回路とを備え、
記録媒体上に記録されているアドレス情報を読み取るときと上位装置からのリードコマンドによって記録済データを読み取るときにのみ、該重畳制御信号によって該高周波電流を該レーザ駆動電流に重畳し、
予め記録媒体上に記録されているアドレス情報を読み取るときと上位からのリードコマンドによって記録済データを読み取り時以外の読み取り時のレーザ駆動電流を、予め格納された該高周波電流を重畳したときの平均レーザ出力に相当する直流駆動電流とすることを特徴とする情報記録再生装置。
【請求項２】
半導体レーザと、
該半導体レーザをレーザ駆動電流で駆動して高出力発光させるレーザドライバと、
該半導体レーザから出た光を光学的に情報を記録および再生するために情報記録媒体上に微小スポットとして絞り込む光学系と、
該情報記録媒体から反射された光を受光する光検出器とを有する光ヘッドと、
情報を予め定められた規則にしたがって変調する変調回路と、
再生された信号を元の情報に戻す復調回路と、
これらの回路を制御する演算・制御回路と、
該半導体レーザのレーザドライバに再生時に印加する高周波電流の振幅、発振周波数等の重畳条件を制御する高周波電流重畳制御回路と、
重畳制御信号を発生するタイミング発生回路とを備え、
記録媒体上に記録されているアドレス情報を読み取るときと上位装置からのリードコマンドによって記録済データを読み取るときにのみ、該重畳制御信号によって該高周波電流を該レーザ駆動電流に重畳し、
予め記録媒体上に記録されているアドレス情報を読み取るときと上位からのリードコマンドによって記録済データを読み取り時以外の読み取り時のレーザ駆動電流を、予め格納された該高周波電流を重畳したときの平均レーザ出力に相当する直流駆動電流とすることを特徴とする情報記録再生装置。
【請求項３】
請求項1または請求項２に記載の情報記録再生装置であって、
光出力を検出するフォトダイオードと、試し書き時の光出力を基準として該光出力と比較判別する比較判別手段と、該比較判別手段の出力に基づいて該直流駆動電流に補正を加える補正電流を生成する補正電流生成手段とを設け、該光出力補正を行うことを特徴とする情報記録再生装置。
【発明の詳細な説明】
【０００１】
【発明の属する技術分野】
本発明は、光ディスク装置の光源である半導体レーザが、記録媒体からの反射光があった場合に発生するノイズを低減するための高周波電流重畳法を用いた情報記録再生装置に係り、特に、印加した高周波電流のピーク値により、記録媒体に与える影響を低減するために高周波電流を重畳する期間を制御する情報記録再生装置に関する。
【０００２】
【従来の技術】
情報記録媒体（以下、光ディスクと称する）の記録膜にレーザ光を照射し、穴あけピット、相変化ピット、色素ピットあるいは磁化ドメイン等の記録マークを記録膜に形成して情報を記録し、光ディスクからの反射光を用いて情報を再生する光学的な情報記録再生装置は、複数の光ディスクを入れ替えて使用でき（可換媒体）、かつ、情報を大量に記録再生することができる特徴を持ち、パーソナルコンピュータ用あるいは大型コンピュータ用の大容量外部記憶装置として使用されている。
【０００３】
また、これらの情報記録再生装置の光源には小型かつ高出力の半導体レーザが使われているが、発光時の縦モードがシングルモードで可干渉性が強いため、即ち干渉されやすいため、光ディスクからの反射光があった場合にはレーザノイズが発生するという問題がある。このレーザノイズの低減方法としては、レーザ駆動電流に高周波電流を加算する高周波電流重畳方法がよく知られている。この場合、レーザを高周波電流によりパルス発振させ、レーザから出たパルス光と光ディスクから反射して戻って来たパルス光が干渉しないような発振周波数に設定している。さらに半導体レーザの性能や光ヘッドの構成によりノイズ低減条件（主に、レーザのパワーと発振周波数）が異なるので、各光ヘッド毎に最適な重畳電流値や発振周波数を設定している。
【０００４】
例えば、特開２０００−１４９３０２号公報には、記録再生の動作モードに応じて重畳周波数と振幅を可変とすることで各動作モードにおけるレーザパワー出力の最適化を行う光ディスク装置が開示されている。
【０００５】
【発明が解決しようとする課題】
この高周波電流重畳法においては、パルス発光の平均パワーが再生パワーとなるため、パルスの波高値は平均パワーの３倍から１０倍程度（変調度によって異なる。変調度とは、高周波電流重畳ＯＮ時の平均パワーと重畳ＯＦＦ時のＤＣパワーの比である。）になる場合がある。
このため、レーザ光の熱を利用して結晶質状態あるいはアモルファス状態の相変化による記録マーク形成を行うＤＶＤ−ＲＡＭ等の光ディスクにおいては、再生パルスの波高値が記録マークに熱的な影響を与え、光ディスクの繰り返し再生によってＳ／Ｎ劣化を生じるという問題が生じた。
【０００６】
即ち、従来の半導体レーザの高周波電流重畳法では、再生時の光ディスクからの反射光によるレーザノイズ低減についてのみ考慮されていたが、高密度記録が進むにつれて、ＤＶＤ−ＲＡＭ等の記録可能な光ディスクに対して、記録された膜に対するパルス波高値の影響を配慮する必要がでてきた。
【０００７】
本発明の目的は上記問題を解決し、高密度記録および高速転送記録が可能な情報記録再生装置を提供することにある。
【０００８】
【課題を解決するための手段】
上記課題を実現するために、本発明の情報記録再生装置では、再生時に、高周波電流の振幅、発振周波数等の重畳条件を制御する高周波電流重畳制御回路としてのレーザドライバと、重畳制御信号を発生するタイミング発生回路を用いており、ＤＶＤ−ＲＡＭディスクの予め凹凸ピットで形成されたアドレス情報を読み取る時と上位からのリードコマンドによって記録済データを読み取る時にのみ、前記タイミング発生回路からタイミング信号を生成し、レーザ駆動電流に高周波電流を重畳することを特徴とする。
【０００９】
上記以外の読み取り時、例えば、シーク時のレーザ駆動電流は、予め格納しておいた前記高周波電流を重畳した時の平均レーザ出力に相当する直流駆動電流とすることを特徴とする。
【００１０】
また、環境温度の変化に伴うレーザのスロープ効率の変化によって生じる光出力変動の補正手段として、光出力を検出するフロントモニタのフォトダイオードと、試し書き時の光出力を基準として前記光出力を判別する手段と、前記判別手段に基づいて直流駆動電流を変更する基準電流変更手段とともに、前記光出力に対して連続的に補正を行う直流制御電流手段を有することを特徴とする。
【００１１】
【発明の実施の形態】
以下、本発明の実施の形態について、実施例を用い、図を参照して説明する。
図１は本発明による情報記録再生装置の一実施例を示すブロック図である。光ディスク装置は、パーソナルコンピュータ、ワークステーション等のホストコンピュータ４（以下ホストと略す）等と、例えば、ＳＣＳＩ（Ｓｍａｌｌ  Ｃｏｍｐｕｔｅｒ  Ｓｙｓｔｅｍ  Ｉｎｔｅｒｆａｃｅ）やＡＴＡＰＩ（ＡＴ  Ａｔｔａｃｈｅｄ  Ｐａｃｋｅｔ  Ｉｎｔｅｒｆａｃｅ）の規格に則ったインターフェースケーブルで接続されており、ホスト４からの命令や情報データを含むコマンドを光ディスク装置内のインターフェース制御回路５で解読し、マイコン等から構成される演算・制御回路６を通して情報の記録、再生およびシーク動作を実行する。
【００１２】
ＲＡＭディスク１はスピンドルモータ２に保持されて回転されており、ＲＡＭディスク１表面には相変化形記録膜（ＧｅＳｂＴｅ）が形成されている。光ヘッド３内の半導体レーザ９を用いて、この記録膜に１ミクロン程度の光スポットを照射することによって情報の記録及び再生を行うとともに、光ヘッド３内の光検出器（フォトダイオード）にて、光ディスク１の再生信号の他、自動焦点、トラック追跡などの光スポットを得る。この位置制御信号を用いて光ヘッド３をリニアモータ（図示せず）にて光ディスク半径方向に高速に駆動して位置決めを行う。
【００１３】
次に、光ディスク装置における記録、再生動作について説明する。
記録動作は、ホスト４からＲＡＭディスク１上の論理アドレス情報を付加した記録コマンドが発行されることにより行なわれる。アドレス情報は演算・制御回路６内のバッファメモリ（図示せず）に蓄積された後、演算・制御回路６で再生信号から読み出されたアドレス情報と比較され、記録コマンドのアドレス情報と一致するようにＲＡＭディスク１上の指定されたトラックに光ヘッド３を位置決めする。一方、記録動作信号は時系列的に変調回路７に送られ、ランレングスリミティッド（ＲＬＬ）コード、例えば（１、７）ＲＬＬコード、（２、７）ＲＬＬコード、ＤＶＤ（Ｄｉｇｉｔａｌ  Ｖｅｒｓａｔｉｌｅ  Ｄｉｓｋ）に使われている（２、１０）ＲＬＬコード、あるいはＣＤフォーマットに対応したＥＦＭ（ｅｉｇｈｔ−ｆｏｕｒｔｅｅｎ  ｍｏｄｕｌａｔｉｏｎ）コードに対応する符号列に変換され、さらに、ＲＡＭディスク１の相変化形記録膜上での記録マーク形状に対応したパルス列に変換される。これらのパルス列（総称してＮＲＺ信号と呼ぶ。）は光ヘッド３上のレーザドライバ８に導かれて、光ヘッド３内の半導体レーザ９をＯＮ，ＯＦＦして高出力パルスを発光させ、光ヘッド３内のフォーカスレンズ（図示せず）を用いてＲＡＭディスク１上の記録膜に微小スポットを収束させて記録マークを形成する。
【００１４】
再生動作は、ホスト４からＲＡＭディスク１上のアドレス情報を付加された再生コマンド発行により行なわる。アドレス情報は演算・制御回路６内のバッファメモリ（図示せず）内に蓄積された後、演算・制御回路６で、再生信号から読み出したアドレス情報と比較し、再生コマンドのアドレス情報と一致するようにＲＡＭディスク１上の指定されたトラックに光ヘッド３を位置決めする。一方、再生動作信号は変調回路７を経由してＮＲＺ信号に変換され、光ヘッド３上のレーザドライバ８にて再生駆動直流電流に高周波電流を重畳させてレーザ９をパルス発光させる。ＲＡＭディスク１からのレーザ反射光は、光ヘッド３内の光検出器で検出されて光電変換され、電気信号として再生回路１０に入力され、再生信号が得られる。
【００１５】
通常、再生回路１０は信号振幅を一定に保持するための自動利得制御回路（ＡＧＣ）、光学的な空間周波数劣化を補正する波形等化回路（ＥＱ）、低域制限フィルタ（ＬＰＦ）、二値化回路、ＰＬＬ（Ｐｈａｓｅ  Ｌｏｃｋｅｄ  Ｌｏｏｐ）回路、弁別回路から構成されており、再生信号を二値化した後、弁別されたデータに変換する。弁別された二値化データは復調回路１１に入力され、（１、７）ＲＬＬコード、（２、７）ＲＬＬコードあるいは（２，１０）ＲＬＬコードの復調を行って元のデータを復調する。復調されたデータは演算・制御回路６に導かれてホスト４からの再生コマンドに対応してインターフェース制御回路５からホスト４に転送される。
【００１６】
光ヘッド３内の光検出器は、ＲＡＭディスク情報の再生信号ばかりでなく、光ディスク１上に光スポットの焦点制御を行う自動焦点信号と、任意のトラックに追跡制御を行うトラック追跡信号を検出することができ、光点制御を行う自動焦点信号、トラック追跡信号はサーボ制御回路１２に導かれる。サーボ制御回路１２は誤差信号生成回路、位相補償回路、および駆動回路から構成されており、光ヘッド３を任意のトラックに精度良く位置付けることができる。
【００１７】
次に、図２を用いて、光ヘッド３上に搭載しているレーザドライバ８について説明する。
図２は本発明による情報記録再生装置で使用されるレーザドライバの一実施例を示すブロック図である。レーザドライバ８の記録電流生成部２４は、記録パワーＰａを記憶するＰａレジスタ２５、記録パワーＰｂを記憶するＰｂレジスタ２６、記録パワーＰｃを記憶するＰｃレジスタ２７、記録パワーＰｄを記憶するＰｄレジスタ２８、レジスタ２５〜２８の出力のいずれかを選択するセレクタ２９、及び、選択されたレジスタの記録パワー値に対応して記録駆動電流Ｉｗｒｉｔｅを出力するディジタル・アナログ変換回路で構成されるＷｒｉｔｅ  Ｐｏｗｅｒ  ＤＡＣ３０から構成される。
レーザドライバ８は更に、Ｐｍａｘレジスタ３１に記憶したＰｍａｘ値（レーザパルスの最大値）に対応した電流をＷｒｉｔｅ  Ｐｏｗｅｒ  ＤＡＣ３０の基準電流Ｉｒｅｆとして出力するディジタル・アナログ変換回路で構成されるＦｕｌｌ−Ｓｃａｌｅ  ＤＡＣ３２と、変調回路７より供給されるＮＲＺ信号、クロック信号ＣＬＫおよび記録再生状態を設定する制御信号ＷＲＧをもとに記録パワー波形のタイミング（Ｐａ〜Ｐｄレジスタ２５〜２８を選択する制御信号Ｐｘ−ｓｅｌｅｃｔ）を生成するＷｒｉｔｅ  Ｓｔｒａｔｅｇｙ制御部３３と、再生電流生成部とで構成される。再生電流生成部については後述する。
【００１８】
Ｗｒｉｔｅ  Ｓｔｒａｔｅｇｙ制御部３３は、入力されるＮＲＺ信号を記録パルスに変換して、そのパルスの時間的位置やパルス幅のアダプティブ制御を実現する遅延回路（図示せず）と、外部からのクロック信号に同期して安定な記録周波数を供給するＰＬＬ回路（図示せず）を有する。その為、主基板上に配置された演算・制御回路６や変調回路７のクロック周波数を下げてレーザドライバ８に信号を伝送し、Ｗｒｉｔｅ  Ｓｔｒａｔｅｇｙ制御部３３のＰＬＬ回路で、正規の記録周波数に同期させて発振することが可能となり、演算・制御回路６や変調回路７からレーザドライバ８に信号を伝送する場合に生じる隣接する信号線への影響や高周波信号発生時の不要輻射などの問題を解決することができる。
【００１９】
一方、再生電流生成手段は、演算・制御部６よりシリアル転送されて供給される各種レジスタの設定値を取込み、パラレルに変換して対応するレジスタに設定値を書き込むＳｅｒｉａｌ  Ｉｎｔｅｆａｃｅ制御部２０、再生パワーレベルＰｒｅａｄを記憶するＰｒｅａｄ  １レジスタ２１およびＰｒｅａｄ  ２レジスタ３７、Ｐｒｅａｄの値に対応して駆動電流Ｉｒｅａｄを出力するディジタル・アナログ変換回路で構成されるＲｅａｄ−ＤＡＣ２２、再生時にレーザ９に高周波電流Ｉｈｆを重畳するＨＦＭ（Ｈｉｇｈ  Ｆｒｅｑｕｅｎｃｙ  Ｍｏｄｕｌｅ）回路２３で構成される。
【００２０】
また、自動パワー制御（ＡＰＣ）回路３６は、再生パワー制御を行うために半導体レーザ９から出た光の一部を光検出器３４に入力し、Ｉ−Ｖ変換器３５で電圧に変換後、アナログ電流としての制御電流Ｉａｐｃをレーザドライバに供給することにより、再生パワーを一定に保つことができる。なお、別の方法として、自動パワー制御回路３６内部にアナログ−ディジタル変換回路を設け、逐次取り込んだパワーレベルを試し書き時に設定した基準値と比較しながら、デジタル情報としてのパワーレベルを演算・制御回路６、Ｓｅｒｉａｌ  Ｉｎｔｅｒｆａｃｅ回路２０を経由して、再生パワーレベルを記憶するＰｒｅａｄ  １レジスタ２１に格納することにより、アナログ電流をレーザドライバ８にフィードバックする方法とともに、再生パワーを一定に保つことが出来る。
【００２１】
次に、図３を用いて、記録時の各信号動作について説明する。
図３は本発明による情報記録再生装置における記録時の動作を説明するための波形図である。
図３（ａ）は記録時の再生回路における再生信号を示し、ＰＩＤ（Ｐｈｙｓｉｃａｌ  Ｉｄｅｎｔｉｆｉｃａｔｉｏｎ  Ｄａｔａ）３０１はセクタ単位に凹凸の位相ピットで予めディスク上に記録された番地を、第１のＤＡＴＡ３０２は記録済みデータを、第２のＤＡＴＡ３０３は記録時の反射光による信号を示す。
図３（ｂ）は変調回路７より供給されたＮＲＺ信号３０４を示し、このＮＲＺ信号３０４は、データ領域のみに供給される。
図３（ｃ）は記録可能状態を設定する制御信号ＷＲＧ３０５を示し、ＷＲＧ３０５は、“Ｌ”時が記録状態、“Ｈ”時は再生状態を示す。この信号は記録駆動電流Ｉｗｒｉｔｅを出力するディジタル・アナログ変換回路で構成されるＷｒｉｔｅ  Ｐｏｗｅｒ  ＤＡＣ３０を制御し、記録時以外はＷｒｉｔｅ  Ｐｏｗｅｒ
ＤＡＣ３０をＯＦＦとする。
【００２２】
図３（ｄ）は変調回路７から供給されるＣＬＫ（クロック）信号３０６を示し、このＣＬＫ信号３０６は、ＰＩＤ３０１読み取り時は、再生時の隣接信号線への影響を低減するためにＣＬＫ供給を中止する。この時、レーザドライバ８内部のＰＬＬ回路は記録周波数を保持したまま、発振し続ける。
図３（ｅ）はＰＩＤ３０１を読む時と記録済データを読むときに高周波（ＨＦ）電流をＯＮするＨＦゲート信号（ＨＦＧ）３０７を示す。このＨＦゲート信号は、“Ｌ”の時にはＨＦ電流をＯＮとし、“Ｈ”時にはＨＦ電流をＯＦＦとする。
図３（ｆ）はレーザ出力を示し、ＰＩＤ３０１を読む時にはＨＦ電流によるパルス状のパワー３０８が出力されており、データ記録中はＮＲＺ信号３０４に対応したマルチパルス状の記録パワー３０９で発光している。
【００２３】
次に、図４を用いて、再生時の各信号動作について説明する。
図４は本発明による情報記録再生装置における再生時の動作を説明するための波形図である。
図４（ａ）は再生時の再生回路における再生信号を示し、４０２は記録済みデータであるがＲＤ（リード）コマンド発行されていない第１のＤＡＴＡ（データ）を示し、４０３は即ち記録済データであり、ＲＤコマンドが発行されている第２のＤＡＴＡを示す。
図４（ｂ）は変調回路７より供給されＮＲＺ信号を示しており、再生中は“Ｌ”のままである。
図４（ｃ）は記録可能状態を設定する制御信号ＷＲＧを示しており、再生中は“Ｈ”となっており、Ｗｒｉｔｅ  Ｐｏｗｅｒ  ＤＡＣ３０をＯＦＦとする。
図４（ｄ）は変調回路７から供給されるクロック信号ＣＬＫを示しており、再生中のため同様に“Ｌ”となってＣＬＫ供給を中止している。この時、レーザドライバ８内部のＰＬＬ回路は停止している。
図４（ｅ）はＨＦゲート信号４０４を示しており、ＰＩＤ信号３０１を読む時とＲＤコマンドにより記録済データである第２のＤＡＴＡ４０３を読むときに高周波（ＨＦ）電流をＯＮする。ＨＦゲート信号４０４は、“Ｌ”の時にはＨＦ電流をＯＮとし、“Ｈ”時にはＨＦ電流をＯＦＦとしている。
図４（ｆ）はレーザ出力を示し、ＰＩＤとＲＤコマンドが発行された記録済である第２のＤＡＴＡ４０３を読む時にのみＨＦ電流ＯＮによる高周波重畳によってパルス状のパワー４０５が出力される。
【００２４】
一方、ＲＤ（リード）コマンドが発行されない場合、ただ単にＨＦ電流をＯＦＦとするだけでは、レーザ出力がしきい値以下となってレーザが全く発光しなくなり、光ディスクの焦点あるいはトラック制御が不可能となってシーク等が不可能となる不具合が発生する。その為、ＨＦ電流ＯＦＦとなるＨＦゲート信号が”Ｈ”の時には、シーク等を可能とする直流パワーを確保する直流駆動電流を加算する手段が必要となる。
【００２５】
以下、その直流駆動電流の加算手段について、再び、図２を用いて説明する。ＨＦゲート信号４０４が“Ｌ”の場合の再生駆動電流は、Ｓｅｒｉａｌ  Ｉｎｔｅｒｆａｃｅ２０経由で格納したＰｒｅａｄ  １レジスタ２１に対応した、Ｒｅａｄ  ＤＡＣ２２の直流駆動電流Ｉｒｅａｄ（１）に、Ｉ−Ｖ変換器（フロントモニタ）３５からのＡＰＣ直流制御電流Ｉａｐｃを加えた（Ｉａｐｃ＋Ｉｒｅａｄ（１））であり、再生パワーを一定値に保つようにフィードバックが掛けられている。即ち、フロントモニタ用フォトダイオード３４でＩｈｆの高周波成分は平滑化（フロントモニタ用フォトダイオード３４は高周波重畳の周波数には応答しないので）され、この平滑化されたパワーはI−V変換器３５で電圧に変換され、自動パワー制御回路３６でＡＰＣサーボループを形成するために、自動パワー制御回路３６からＩａｐｃが再度レーザドライバにフィードバックされる。この再生駆動電流（Ｉａｐｃ＋Ｉｒｅａｄ（１））にＨＦＭ（Ｈｉｇｈ  Ｆｒｅｑｕｅｎｃｙ  Ｍｏｄｕｌａｔｏｒ）２３の高周波出力電流Ｉｈｆを重畳してレーザ発光を行う。再生パワーを一定値に保つフィードバック制御はＨＦゲート信号４０４が“Ｌ”の場合であり、自動パワー制御回路３６ではサンプリング状態で逐次制御されることになる。
【００２６】
これに対し、ＨＦゲート信号４０４が“Ｈ”の時には、自動パワー制御回路３６はホールド状態となり、Ｓｅｒｉａｌ  Ｉｎｔｅｒｆａｃｅ経由でＰｒｅａｄ２レジスタ３７に切り換えられ、Ｐｒｅａｄ  ２レジスタ３７のデータに基づいてＲｅａｄ  ＤＡＣ２２の直流駆動電流Ｉｒｅａｄ（２）を発生させるとともに、フロントモニタ３５からのＡＰＣ直流制御電流Ｉａｐｃを加えた再生駆動電流（Ｉａｐｃ＋Ｉｒｅａｄ（２））によってレーザ発光を行い、シーク等を可能とする。ここで、Ｐｒｅａｄ  ２レジスタ３７に設定するデータは、高周波出力電流Ｉｈｆを重畳した時の平均レーザ出力に相当する直流駆動電流Ｉｒｅａｄ（２）を与えるものであり、ドライブ出荷時に基板内に設置してあるＥＥＰＲＯＭ３８に予め格納しておき、ローディング時にＥＥＰＲＯＭ３８から演算・制御回路６、Ｓｅｒｉａｌ  Ｉｎｔｅｒｆａｃｅ２０を経由してＰｒｅａｄ  ２レジスタ３７に取り込む。
【００２７】
また、温度変動時のレーザ特性変動に対する補正は、再生駆動電流Ｉｒｅａｄを供給するＲｅａｄ  ＤＡＣ２２に対して、Ｆｕｌｌ−Ｓｃａｌｅ  ＤＡＣ３２出力の基準電流Ｉｒｅｆを制御することで行う。
半導体レーザは、駆動電流と出力パワ−に関して閾値電流を越えると出力パワーは駆動電流に対して直線的に増加するが、レーザのスロープ効率（カーブの傾き）は温度特性を持っており、温度が上がるとスロープ効率が低下して傾きが緩やかになり、温度が下がると逆にスロープ効率が増加して傾きが急になる。このレーザのスロープ効率の温度依存性をフロントモニタで検出し、光出力を一定に保つよう、自動パワー制御回路からレーザドライバに供給する直流制御電流Ｉａｐｃを連続的に加減する。
【００２８】
更に、Ｐｒｅａｄ  １レジスタ２１あるいはＰｒｅａｄ  ２レジスタ３７に格納されたデータに基づく直流駆動電流Ｉｒｅａｄに対する温度特性補正は、フロントモニタ３５で検出された出力を自動パワー制御回路３６内に設置したアナログ−ディジタル変換器（図示せず）に取り込み、試し書き時の光出力と比較して、演算・制御回路６、Ｓｅｒｉａｌ  Ｉｎｔｅｒｆａｃｅ回路２０、ＦＳ−ＤＡＣ３２用のＰｍａｘレジスタ３１を通じて、Ｗｒｉｔｅ  Ｐｏｗｅｒ  ＤＡＣ３０の基準電流Ｉｒｅｆをデジタル的に変更することで対応している。直流制御電流Ｉａｐｃによる連続的な補正と基準電流Ｉｒｅｆによるデジタル的な補正の組合せにより、シークから記録あるいは再生、記録あるいは再生からシークといった様々な切り替えに対してスムーズに対応することを可能としている。
【００２９】
本発明は、ＤＶＤ−ＲＡＭの相変化型記録膜ばかりでなく、ＤＶＤ−Ｒに用いている有機色素膜、あるいは、ＭＯ等の光磁気形記録膜（ＴｂＦｅＣｏ）に対しても有効である。
【００３０】
以上述べたように、本発明によれば、ＤＶＤ−ＲＡＭ等の記録可能な光ディスク再生時における高周波電流重畳に関して、再生時の高周波電流重畳を上位からＲＤコマンド発行が行なわれたセクタとアドレス情報ＰＩＤを読む時のみに限定して行っているために、パルス発光ピーク値の繰り返し再生によって生じる再生Ｓ／Ｎ劣化を防止することができる。また、高周波電流を重畳する期間が限定されることにより、高周波電流重畳回路が発生する発熱についても低減でき、発熱による半導体レーザの特性劣化を低減できる効果もある。
【００３１】
【発明の効果】
以上述べたように、本発明によれば、パルス発光ピーク値の繰り返し再生によって生じる再生Ｓ／Ｎ劣化を防止することができる。
また、高周波電流を重畳する期間が限定されるので、高周波電流重畳回路が発生する発熱についても低減でき、発熱による半導体レーザの特性劣化を低減できる効果もある。
【図面の簡単な説明】
【図１】本発明による情報記録再生装置の一実施例を示すブロック図である。
【図２】本発明による情報記録再生装置で使用されるレーザドライバの一実施例を示すブロック図である。
【図３】本発明による情報記録再生装置における記録時の動作を説明するための波形図である。
【図４】本発明による情報記録再生装置における再生時の動作を説明するための波形図である。
【符号の説明】
１…光ディスク、２…スピンドルモータ、３…光ヘッド、４…ホストコンピュータ、５…インターフェース制御回路、６…演算・制御回路、７…変調回路、８…レーザドライバ、９…半導体レーザ、１０…再生回路、１１…復調回路、１２…サーボ制御回路、２０…シリアルインターフェース回路、２１…Ｐｒｅａｄ  １レジスタ、２２…Ｒｅａｄ  ＤＡＣ、２３…高周波電流重畳回路（ＨＦＭ）、２４…記録電流生成回路、２５…Ｐａレジスタ、２６…Ｐｂレジスタ、２７…Ｐｃレジスタ、２８…Ｐｄレジスタ、２９…セレクタ、３０…Ｗｒｉｔｅ  Ｐｏｗｅｒ  ＤＡＣ、３１…Ｐｍａｘレジスタ、３２…フルスケールＤＡＣ、３３…Ｗｒｉｔｅ  Ｓｔｒａｔｅｇｙ回路、３４…フロントモニタ用フォトダイオード、３５…Ｉ−Ｖ変換回路、３６…パワー制御回路、３７…Ｐｒｅａｄ  ２レジスタ、３８…ＥＥＰＲＯＭ。
【図１】
0003796160.tif 000002
【図２】
0003796160.tif 000003
【図３】
0003796160.tif 000004
【図４】
0003796160.tif 000005